(57)【要約】      （修正有）【課題】入浴者の浴室からの退室を予測して浴室外の機器を動作させることができる浴室退室検知システムを提供する。【解決手段】浴室２内の入浴者の動作を検知する検知部１２と、浴室外に設けられた外部機器に信号を送信する送信部１４と、検知部の検知結果に基づいて送信部の動作を制御する制御部１６と、を備え、制御部は、入浴者の浴室からの退室直前の特定の動作を検知部が検知したことに応答して、送信部から外部機器に信号を送信する。【選択図】図１
2020116039.tif 000002
【特許請求の範囲】
【請求項１】
浴室内の入浴者の動作を検知する検知部と、
前記浴室外に設けられた外部機器に信号を送信する送信部と、
前記検知部の検知結果に基づいて前記送信部の動作を制御する制御部と、
を備え、
前記制御部は、入浴者の前記浴室からの退室直前の特定の動作を前記検知部が検知したことに応答して、前記送信部から前記外部機器に前記信号を送信することを特徴とする浴室退室検知システム。
【請求項２】
前記検知部は、前記浴室内に設けられた浴室機器に対する所定の操作を前記退室直前の特定の動作として検知することを特徴とする請求項１記載の浴室退室検知システム。
【請求項３】
前記浴室機器は、少なくとも２つ設けられ、
前記検知部は、前記少なくと２つの浴室機器に対する所定の操作を前記退室直前の特定の動作として検知することを特徴とする請求項２記載の浴室退室検知システム。
【請求項４】
前記検知部は、洗い場床の周縁部、壁面、天井面、及び浴槽の外側面のいずれかにかかる水を前記浴室内の入浴者の動作として検知し、
前記制御部は、所定の閾値以上の水を前記検知部が検知した際に、前記退室直前の特定の動作を前記検知部が検知したと判断することを特徴とする請求項１〜３のいずれか１つに記載の浴室退室検知システム。
【請求項５】
前記制御部は、所定条件においては、前記退室直前の特定の動作を前記検知部が検知した際にも、前記送信部から前記外部機器に前記信号を送信しないことを特徴とする請求項１〜４のいずれか１つに記載の浴室退室検知システム。
【請求項６】
前記検知部は、入浴者の前記浴室への入室をさらに検知し、
前記制御部は、前記入室の検知から所定時間経過するまでの間に、前記退室直前の特定の動作を前記検知部が検知した際には、前記送信部から前記外部機器に前記信号を送信しないことを特徴とする請求項５記載の浴室退室検知システム。
【請求項７】
前記外部機器は、前記浴室に隣接する部屋に設けられ、前記浴室に隣接する部屋の室内の温度を調節する空調機であり、
前記制御部は、前記退室直前の特定の動作を前記検知部が検知したことに応答して、前記送信部から前記空調機に前記信号を送信することにより、前記空調機を動作させることを特徴とする請求項１〜６のいずれか１つに記載の浴室退室検知システム。
【発明の詳細な説明】
【技術分野】
【０００１】
本発明の態様は、一般的に、浴室退室検知システムに関する。
【背景技術】
【０００２】
入浴者が浴室から退出するタイミングが分からないことにより、例えば、脱衣所で入浴者とその他の家族が鉢合わせしてしまう、入浴者のための食事の支度を開始するタイミングが分からない、脱衣所の暖房を適切なタイミングで動作させることができないなど、家庭内において様々な問題が発生してしまう場合がある。
【０００３】
例えば、人体検知センサによって入浴者の浴室からの退室を検知することが提案されている（例えば、特許文献１）。しかしながら、入浴者の浴室からの退室を検知したのでは、タイミングとして遅く、脱衣所での鉢合わせの抑制や脱衣所の暖房などが間に合わない可能性がある。
【０００４】
また、例えば、入浴者の操作によって退室情報を発信することにより、報知などを行うことも提案されている（例えば、特許文献２）。しかしながら、この場合には、入浴者が操作を忘れてしまうと、報知も行われなくなってしまう。
【０００５】
このため、浴室退室検知システムにおいては、入浴者の浴室からの退室を予測して浴室外の機器を動作させることにより、脱衣所での鉢合わせをより確実に抑制したり、脱衣所の暖房をより適切なタイミングで開始したりできるようにすることが望まれる。
【先行技術文献】
【特許文献】
【０００６】
【特許文献１】特開２００４−０２４５９０号公報
【特許文献２】特開２００４−０２１２８５号公報
【発明の概要】
【発明が解決しようとする課題】
【０００７】
本発明は、かかる課題の認識に基づいてなされたものであり、入浴者の浴室からの退室を予測して浴室外の機器を動作させることができる浴室退室検知システムを提供することを目的とする。
【課題を解決するための手段】
【０００８】
第１の発明は、浴室内の入浴者の動作を検知する検知部と、前記浴室外に設けられた外部機器に信号を送信する送信部と、前記検知部の検知結果に基づいて前記送信部の動作を制御する制御部と、を備え、前記制御部は、入浴者の前記浴室からの退室直前の特定の動作を前記検知部が検知したことに応答して、前記送信部から前記外部機器に前記信号を送信することを特徴とする浴室退室検知システムである。
【０００９】
この浴室退室検知システムによれば、入浴者の浴室からの退室直前の特定の動作を検知し、この検知に応答して外部機器に信号を送信する。これにより、入浴者の浴室からの退室を予測して浴室外の外部機器を動作させることができる。また、退室直前の特定の動作を検知部で検知することにより、入浴者の操作忘れなども抑制することができる。例えば、入浴者が退室する前に、入浴者が退室しそうであることを浴室外にいる人に知らせることができる。例えば、脱衣所の暖房などの外部機器を適切なタイミングで動作させることができる。これにより、浴室から退室するタイミングが分からないことによる家庭内での様々な問題の発生を抑制することができる。例えば、脱衣所での入浴者と家族との鉢合わせを抑制し、入浴中に家族が安心して脱衣所に行くことができたり、家族が適切なタイミングで入浴者の食事を用意したりすることができる。
【００１０】
第２の発明は、第１の発明において、前記検知部は、前記浴室内に設けられた浴室機器に対する所定の操作を前記退室直前の特定の動作として検知することを特徴とする浴室退室検知システムである。
【００１１】
この浴室退室検知システムによれば、検知部が、浴室機器に対する所定の操作を退室直前の特定の動作として検知する。特定の浴室機器は、退室前に操作されることが多い。例えば、浴室空調機は、退室前に停止の操作をされることが多い。また、風呂蓋や排水栓の操作も、退室前に行われることが多い。従って、浴室機器に対する所定の操作を前記退室直前の特定の動作として検知することにより、入浴者の退室直前の動作を、より正確に検知することができる。
【００１２】
第３の発明は、第２の発明において、前記浴室機器は、少なくとも２つ設けられ、前記検知部は、前記少なくと２つの浴室機器に対する所定の操作を前記退室直前の特定の動作として検知することを特徴とする浴室退室検知システムである。
【００１３】
この浴室退室検知システムによれば、検知部が、少なくとも２つの浴室機器に対する所定の操作を退室直前の特定の動作として検知する。これにより、入浴者の退室直前の動作を、より正確に検知することができる。
【００１４】
第４の発明は、第１〜第３のいずれか１つの発明において、前記検知部は、洗い場床の周縁部、壁面、天井面、及び浴槽の外側面のいずれかにかかる水を前記浴室内の入浴者の動作として検知し、前記制御部は、所定の閾値以上の水を前記検知部が検知した際に、前記退室直前の特定の動作を前記検知部が検知したと判断することを特徴とする浴室退室検知システムである。
【００１５】
この浴室退室検知システムによれば、検知部が、洗い場床の周縁部、壁面、天井面、及び浴槽の外側面のいずれかにかかる水を浴室内の入浴者の動作として検知する。すなわち、浴室内において通常の入浴時にあまり大量の水がかからない場所の水を検知することにより、入浴者が退室前に行う清掃のための水撒き作業を検知する。これにより、入浴者の退室直前の動作を、より正確に検知することができる。
【００１６】
第５の発明は、第１〜第４のいずれか１つの発明において、前記制御部は、所定条件においては、前記退室直前の特定の動作を前記検知部が検知した際にも、前記送信部から前記外部機器に前記信号を送信しないことを特徴とする浴室退室検知システムである。
【００１７】
この浴室退室検知システムによれば、例えば、深夜の時間帯や家族がいない場合など、退室直前であることを知らせたりする必要のないタイミングで信号を送信してしまうことを抑制でき、使い勝手を向上させることができる。
【００１８】
第６の発明は、第５の発明において、前記検知部は、入浴者の前記浴室への入室をさらに検知し、前記制御部は、前記入室の検知から所定時間経過するまでの間に、前記退室直前の特定の動作を前記検知部が検知した際には、前記送信部から前記外部機器に前記信号を送信しないことを特徴とする浴室退室検知システムである。
【００１９】
この浴室退室検知システムによれば、例えば、通常の入浴から退室までに係る平均的な時間程度に所定時間を設定することにより、それ以前に行われた別の動作を退室直前の特定の動作として検知してしまうことを抑制することができる。すなわち、退室直前の特定の動作の誤検知を抑制することができる。
【００２０】
第７の発明は、第１〜第６のいずれか１つの発明において、前記外部機器は、前記浴室に隣接する部屋に設けられ、前記浴室に隣接する部屋の室内の温度を調節する空調機であり、前記制御部は、前記退室直前の特定の動作を前記検知部が検知したことに応答して、前記送信部から前記空調機に前記信号を送信することにより、前記空調機を動作させることを特徴とする浴室退室検知システムである。
【００２１】
この浴室退室検知システムによれば、送信部からの信号に基づいて浴室に隣接する部屋の空調機を動作させることにより、適切なタイミングで浴室に隣接する部屋の空調を行うことができる。また、空調機を動作させることにより、退室直前であることを家族などに知らせることもできる。
【発明の効果】
【００２２】
本発明の態様によれば、入浴者の浴室からの退室を予測して浴室外の機器を動作させることができる浴室退室検知システムが提供される。
【図面の簡単な説明】
【００２３】
【図１】第１の実施形態に係る浴室退室検知システムを模式的に表すブロック図である。
【図２】第２の実施形態に係る浴室退室検知システムを模式的に表すブロック図である。
【図３】第３の実施形態に係る浴室退室検知システムを模式的に表す説明図である。
【図４】第３の実施形態に係る制御部の動作の一例を模式的に表すグラフ図である。
【図５】第３の実施形態に係る浴室退室検知システムの変形例を模式的に表す説明図である。
【図６】図６（ａ）及び図６（ｂ）は、第３の実施形態に係る制御部の別の動作の一例を模式的に表すグラフ図である。
【図７】第３の実施形態に係る制御部の別の動作の一例を模式的に表すグラフ図である。
【図８】図８（ａ）及び図８（ｂ）は、第４の実施形態に係る浴室退室検知システムを模式的に表す説明図である。
【図９】第５の実施形態に係る浴室退室検知システムを模式的に表す説明図である。
【発明を実施するための形態】
【００２４】
以下、本発明の実施の形態について図面を参照しつつ説明する。なお、各図面中、同様の構成要素には同一の符号を付して詳細な説明は適宜省略する。
【００２５】
（第１の実施形態）  
図１は、第１の実施形態に係る浴室退室検知システムを模式的に表すブロック図である。  
図１に表したように、浴室退室検知システム１０は、リモコン１２（検知部）と、送信部１４と、制御部１６と、を備える。
【００２６】
リモコン１２は、例えば、浴室２内に設けられる。浴室２には、例えば、空調機２０や掃除機器２２などの少なくとも２つの浴室機器が設けられる。
【００２７】
空調機２０は、例えば、浴室２の天井に設けられる。空調機２０は、温風を吹き出して浴室２内を暖める暖房機能、風（例えば温風）を吹き出して浴室２内に吊るされた衣類等を乾燥させる乾燥機能、及び、浴室２内を換気する換気機能、の少なくともいずれかを有する。空調機２０は、例えば浴室換気暖房乾燥機である。空調機２０は、例えば、換気扇などでもよい。
【００２８】
掃除機器２２は、浴室２の内部に設けられる。掃除機器２２は、例えば、浴槽の内壁に洗剤や水（湯）を散布する機器である。または、掃除機器２２は、浴室２の床（洗い場）に水や除菌水等を散布する機器でもよい。
【００２９】
なお、浴室２に設けられる浴室機器は、空調機２０や掃除機器２２に限定されるものではない。浴室機器は、浴室２に設けられる任意の機器でよい。浴室２に設けられる浴室機器の数は、２つに限ることなく、１つでもよいし、３つ以上でもよい。
【００３０】
リモコン１２は、操作指示を入力するための操作部３０と、入浴者に対して所定の報知を行うための報知部３２と、を有する。操作部３０は、例えば、押しボタンスイッチやタッチセンサなどの任意の操作部材でよい。報知部３２は、例えば、液晶ディスプレイなどの表示装置である。報知部３２は、例えば、光によって報知を行う発光素子や、音声によって報知を行うスピーカなどでもよい。報知部３２は、入浴者などに対して所定の報知を行うことが可能な任意の部材でよい。
【００３１】
リモコン１２は、空調機２０及び掃除機器２２と接続され、操作部３０を介して入力された操作指示を空調機２０や掃除機器２２に入力することにより、これらの動作を操作する。換言すれば、空調機２０及び掃除機器２２は、リモコン１２から入力された操作指示に基づいて動作する。
【００３２】
また、リモコン１２は、空調機２０及び掃除機器２２などの浴室機器に対する所定の操作を、入浴者の浴室２からの退室直前の特定の動作として検知する。例えば、空調機２０が暖房動作を行っている場合には、退室直前に停止の操作が行われる可能性が高い。また、例えば、空調機２０が換気機能を有している場合には、退室直前に換気機能を動作させる操作が行われる可能性が高い。また、例えば、掃除機器２２は、退室直前に動作させる操作が行われる可能性が高い。従って、リモコン１２は、こうした所定の操作を、入浴者の浴室２からの退室直前の特定の動作として検知する。なお、リモコン１２は、空調機２０及び掃除機器２２のそれぞれ毎に設けてもよい。すなわち、浴室機器に対する所定の操作は、複数の浴室機器毎に検知してもよい。
【００３３】
送信部１４は、浴室２外に設けられた報知部１８（外部機器）に信号を送信する。送信部１４と報知部１８との間の通信は、有線でもよいし、無線でもよい。
【００３４】
制御部１６は、リモコン１２及び送信部１４と接続されている。制御部１６は、リモコン１２による入浴者の浴室２からの退室直前の特定の動作の検知結果に基づいて、送信部１４の動作を制御する。
【００３５】
なお、送信部１４及び制御部１６は、浴室２に設けてもよいし、浴室２に隣接する脱衣所などに設けてもよい。また、送信部１４及び制御部１６は、例えば、空調機２０などに組み込んでもよい。換言すれば、空調機２０の送信部や制御部を、浴室退室検知システム１０の送信部１４や制御部１６として用いてもよい。
【００３６】
制御部１６は、入浴者の浴室２からの退室直前の特定の動作をリモコン１２が検知したことに応答して、送信部１４から報知部１８に信号を送信する。すなわち、制御部１６は、浴室機器に対する所定の操作が検知された際に、送信部１４から報知部１８に信号を送信する。
【００３７】
リモコン１２は、空調機２０及び掃除機器２２の少なくとも２つの浴室機器に対する所定の操作を退室直前の特定の動作として検知する。制御部１６は、例えば、少なくとも２つの浴室機器のそれぞれに対して所定の操作が検知された際に、送信部１４から報知部１８に信号を送信する。制御部１６は、例えば、少なくとも２つの浴室機器の少なくとも一方に対して所定の操作が検知された際に、送信部１４から報知部１８に信号を送信してもよい。
【００３８】
報知部１８は、例えば、脱衣所、キッチン、あるいはリビングなどに設置される。報知部１８は、送信部１４からの信号の受信に応答して、入浴者が浴室２から退室直前であることを表す所定の報知を行う。これにより、脱衣所、キッチン、あるいはリビングなどにいる人に対して、入浴者が浴室２から退室直前であることを知らせることができる。
【００３９】
報知部１８は、例えば、液晶ディスプレイなどの表示装置である。報知部１８は、例えば、光によって報知を行う発光素子や、音声によって報知を行うスピーカなどでもよい。報知部１８は、入浴者などに対して所定の報知を行うことが可能な任意の部材でよい。
【００４０】
報知部１８は、例えば、スマートフォンやタブレット端末などの携帯情報端末などでもよい。報知部１８の構成は、浴室２以外の部屋になどにいる人に対して、入浴者が浴室２から退室直前であることを報知可能な任意の構成でよい。
【００４１】
また、制御部１６は、所定条件においては、退室直前の特定の動作をリモコン１２が検知した際にも、送信部１４から報知部１８に信号を送信しない。制御部１６は、例えば、リモコン１２の操作部３０を介して、信号の送信機能が停止された際に、送信部１４から報知部１８に信号を送信しないようにする。例えば、制御部１６に時計機能を持たせ、深夜の時間帯などには、送信部１４から報知部１８に信号を送信しないようにしてもよい。例えば、検知センサなどを用いて住宅内（戸建ての家屋内、又はマンションなどの集合住宅の一室内）にいる人の数を検知し、入浴者以外に人がいない場合には、送信部１４から報知部１８に信号を送信しないようにしてもよい。
【００４２】
以上、説明したように、本実施形態に係る浴室退室検知システム１０では、入浴者の浴室２からの退室直前の特定の動作を検知し、この検知に応答して報知部１８に信号を送信する。これにより、入浴者の浴室２からの退室を予測して浴室２外に設けられた報知部１８を動作させることができる。また、退室直前の特定の動作をリモコン１２で検知することにより、退室を報知するための専用のボタンなどを設ける場合と比べて、入浴者の操作忘れなども抑制することができる。
【００４３】
浴室退室検知システム１０では、信号の受信に応答して報知部１８で報知を行うことにより、入浴者が退室する前に、入浴者が退室しそうであることを浴室２外にいる人に知らせることができる。これにより、浴室２から退室するタイミングが分からないことによる家庭内での様々な問題の発生を抑制することができる。例えば、脱衣所での入浴者と家族との鉢合わせを抑制し、入浴中に家族が安心して脱衣所に行くことができたり、家族が適切なタイミングで入浴者の食事を用意したりすることができる。
【００４４】
また、浴室退室検知システム１０では、リモコン１２が、浴室機器に対する所定の操作を退室直前の特定の動作として検知する。特定の浴室機器は、退室前に操作されることが多い。例えば、空調機２０は、退室前に停止の操作をされることが多い。従って、浴室機器に対する所定の操作を退室直前の特定の動作として検知することにより、入浴者の退室直前の動作を、より正確に検知することができる。
【００４５】
また、浴室退室検知システム１０では、リモコン１２が、空調機２０及び掃除機器２２の少なくと２つの浴室機器に対する所定の操作を退室直前の特定の動作として検知する。これにより、入浴者の退室直前の動作を、より正確に検知することができる。
【００４６】
なお、例えば、送信部１４から報知部１８に信号を送信した際に、浴室２内に設けられた報知部３２により、信号が送信されたことを入浴者に報知してもよい。換言すれば、浴室２外の人に報知が行われたことを、入浴者に報知してもよい。これにより、浴室退室検知システム１０の利便性をより向上させることができる。例えば、信号の送信（報知）が行われたことを入浴者に知らせ、家族との鉢合わせなどを心配させることなく、入浴者に安心して浴室２から退室させることができる。なお、報知部３２は、リモコン１２とは別に設けてもよい。
【００４７】
また、浴室退室検知システム１０では、制御部１６が、所定条件においては、退室直前の特定の動作をリモコン１２が検知した際にも、送信部１４から報知部１８に信号を送信しない。これにより、例えば、深夜の時間帯や家族がいない場合など、退室直前であることを知らせたりする必要のないタイミングで信号を送信してしまうことを抑制でき、使い勝手を向上させることができる。
【００４８】
（第２の実施形態）  
図２は、第２の実施形態に係る浴室退室検知システムを模式的に表すブロック図である。  
なお、上記第１の実施形態と機能・構成上実質的に同じものについては、同符号を付し、詳細な説明は省略する。  
図２に表したように、浴室退室検知システム１０ａでは、送信部１４が、浴室２に隣接する部屋である脱衣所４に設けられた空調機４０（外部機器）に信号を送信する。なお、浴室２に隣接する部屋は、脱衣所４に限ることなく、任意の部屋でよい。
【００４９】
空調機４０は、脱衣所４の室内の温度を調節する。空調機４０は、例えば、温風を吹き出して脱衣所４内を暖める暖房機能、涼風を吹き出す涼風機能、及び温風を吹き出して髪などを乾かし易くするドライヤ機能の少なくともいずれかを有する。空調機４０は、例えば、換気扇でもよい。
【００５０】
制御部１６は、退室直前の特定の動作をリモコン１２が検知したことに応答して、送信部１４から空調機４０に信号を送信することにより、空調機４０を動作させる。
【００５１】
このように、浴室退室検知システム１０ａでは、送信部１４からの信号に基づいて浴室２に隣接する脱衣所４の空調機４０を動作させる。これにより、適切なタイミングで浴室２に隣接する脱衣所４の空調を行うことができる。また、空調機４０を動作させることにより、退室直前であることを家族などに知らせることもできる。
【００５２】
なお、退室直前の特定の動作の検知に応答して動作させる外部機器は、空調機４０に限ることなく、例えば、脱衣所４に設けられた照明器具などでもよい。また、退室直前の特定の動作の検知に応答して動作させる外部機器は、隣接する部屋に設けられた機器に限ることなく、リビングやキッチンなどに設けられた機器でもよい。退室直前の特定の動作の検知に応答して動作させる外部機器は、浴室２以外の部屋に設けられた任意の機器でよい。
【００５３】
（第３の実施形態）  
図３は、第３の実施形態に係る浴室退室検知システムを模式的に表す説明図である。  
図３に表したように、浴室退室検知システム１０ｂは、検知部５０を備える。検知部５０は、浴室２の壁面２ａに設けられている。検知部５０は、浴室２の壁面２ａにかかる水を浴室２内の入浴者の動作として検知する。
【００５４】
図３に表したように、入浴者は、退室直前にシャワーなどを用いて周囲の壁面２ａなどに水を撒き、浴室２内を清掃する場合がある。検知部５０は、この水撒きの動作を、入浴者の浴室２からの退室直前の特定の動作として検知する。
【００５５】
検知部５０には、例えば、電波センサ（マイクロ波センサ）、音声センサ（マイク）、温度センサ、圧力センサ、振動センサなどを用いることができる。例えば、検知部５０が、電波、音、振動、圧力などのアナログ信号（波形）を出力する場合には、水が物体に衝突する際の周波数を帯域周波数として、他の周波数帯域はフィルタ（回路や計算処理）にてカットしても良い。これにより、壁面２ａなどに撒かれる水の検知精度を高めることができる。
【００５６】
なお、検知部５０を設ける壁面２ａは、例えば、浴室２を構成する４つの壁面の任意の壁面でよい。また、検知部５０を設ける位置は、壁面２ａに限ることなく、例えば、洗い場床２ｂの周縁部、天井面２ｃ、あるいは浴槽２ｄの外側面２ｅ（エプロン）などでもよい。検知部５０は、例えば、壁面２ａ、洗い場床２ｂの周縁部、天井面２ｃ、及び浴槽２ｄの外側面２ｅのいずれかにかかる水を検知する。洗い場床２ｂの周縁部とは、例えば、洗い場床２ｂの床面のうち、壁面２ａや浴槽２ｄの外側面２ｅから１５ｃｍ以内の範囲の部分である。検知部５０を設ける位置は、浴室内において通常の入浴時にあまり大量の水がかからない任意の位置で良い。
【００５７】
また、検知部５０は、入浴者の浴室２への入室をさらに検知する。例えば、検知部５０に電波センサを用いることにより、壁面２ａなどに撒かれた水と、入浴者の浴室２への入室とを１つのセンサで検知することができる。例えば、検知部５０は、水を検知するセンサと、入室を検知するセンサと、を有する構成としてもよい。この際、入室を検知するセンサは、水を検知するセンサと別の位置に設けてもよい。
【００５８】
図４は、第３の実施形態に係る制御部の動作の一例を模式的に表すグラフ図である。  
図４に表したように、制御部１６は、検知部５０の検知結果に対して所定の閾値Ｔｈを設定し、所定の閾値Ｔｈ以上の水を検知部５０が検知した際に、退室直前の特定の動作を検知部５０が検知したと判断する。
【００５９】
また、制御部１６は、入室の検知から所定時間ｔ１が経過するまでの間に、退室直前の特定の動作を検知部５０が検知した際には、送信部１４から外部機器（報知部１８又は空調機４０）に信号を送信しない。
【００６０】
制御部１６は、例えば、図４の信号Ｓａのように、所定時間ｔ１が経過するまでの間に、閾値Ｔｈを超えたとしても、送信部１４から外部機器に信号を送信しない。
【００６１】
また、制御部１６は、例えば、図４の信号Ｓａのように、閾値Ｔｈ以上となった時間が、所定時間ｔ２に達しない場合にも、送信部１４から外部機器に信号を送信しない。
【００６２】
制御部１６は、例えば、図４の信号Ｓｂのように、所定時間ｔ１が経過した後、閾値Ｔｈ以上となった時間が、所定時間ｔ２以上である場合に、送信部１４から外部機器に信号を送信する。
【００６３】
例えば、閾値Ｔｈ以上となった時間が、所定時間ｔ２に達しない場合には、清掃のための水撒きの動作ではなく、水が一瞬跳ねただけなどである可能性が高い。従って、上記のように、閾値Ｔｈ以上となった時間が、所定時間ｔ２以上である場合に、送信部１４から外部機器に信号を送信することにより、水跳ねなどによる誤検知を抑制し、清掃のための水撒きの動作をより確実に検知することができる。
【００６４】
なお、水撒きの動作の検知は、閾値Ｔｈ以上となった時間が、所定時間ｔ２以上である場合に限ることなく、例えば、閾値Ｔｈ以上となった回数が、所定回数以上となった際に、水撒きの動作が行われたと判断してもよい。また、例えば、閾値Ｔｈ以上となった信号の積分値などから、検知された水の水量を求め、この水量が所定水量以上となったこと応じて、水撒きの動作が行われたと判断してもよい。
【００６５】
このように、浴室退室検知システム１０ｂでは、検知部５０が、壁面２ａ、洗い場床２ｂの周縁部、天井面２ｃ、及び浴槽２ｄの外側面２ｅのいずれかにかかる水を浴室２内の入浴者の動作として検知する。すなわち、浴室２内において通常の入浴時にあまり大量の水がかからない場所の水を検知することにより、入浴者が退室前に行う清掃のための水撒き作業を検知する。これにより、入浴者の退室直前の動作を、より正確に検知することができる。
【００６６】
また、浴室退室検知システム１０ｂでは、例えば、通常の入浴から退室までに係る平均的な時間程度に所定時間ｔ１を設定することにより、それ以前に行われた別の動作を退室直前の特定の動作として検知してしまうことを抑制することができる。すなわち、退室直前の特定の動作の誤検知を抑制することができる。
【００６７】
例えば、第１の実施形態に関して説明したように、リモコン１２による浴室機器に対する所定の操作を、入浴者の浴室２からの退室直前の特定の動作として検知する場合にも、同様に、入室の検知から所定時間ｔ１が経過するまでの間に、浴室機器に対する所定の操作をリモコン１２が検知した際には、送信部１４から外部機器（報知部１８又は空調機４０）に信号を送信しないようにしてもよい。
【００６８】
図５は、第３の実施形態に係る浴室退室検知システムの変形例を模式的に表す説明図である。  
図５に表したように、浴室退室検知システム１０ｃは、複数の検知部５０を備える。この例では、２つの検知部５０を表しているが、検知部５０の数は、２つに限ることなく、３つ以上でもよい。複数の検知部５０は、例えば、壁面２ａ、洗い場床２ｂの周縁部、天井面２ｃ、及び浴槽２ｄの外側面２ｅの異なる面に設けられる。
【００６９】
図６（ａ）及び図６（ｂ）は、第３の実施形態に係る制御部の別の動作の一例を模式的に表すグラフ図である。  
制御部１６は、図６（ａ）に表した信号Ｓ１、Ｓ２のように、複数の検知部５０のうち、１つの検知部５０が所定の閾値Ｔｈ以上の水を検知し、他の検知部５０が所定の閾値Ｔｈ以上の水を検知していない時に、退室直前の特定の動作を複数の検知部５０が検知したと判断する。
【００７０】
そして、制御部１６は、図６（ｂ）に表した信号Ｓ１、Ｓ２のように、複数の検知部５０のそれぞれが所定の閾値Ｔｈ以上の水を検知した時には、誤検知であると判断する。
【００７１】
図５に表したように、複数の検知部５０がそれぞれ別の面に設けられている場合、複数の検知部５０が水撒き動作の水を同時に検知する可能性は低い。このため、制御部１６は、上記のように、複数の検知部５０のそれぞれが所定の閾値Ｔｈ以上の水を検知した時には、例えば、地震の揺れの影響などによる誤検知であると判断し、複数の検知部５０のいずれか１つのみが所定の閾値Ｔｈ以上の水を検知した時に、退室直前の特定の動作を検知したと判断する。これにより、地震などの外因の影響を抑制し、入浴者の退室直前の動作を、より正確に検知することができる。
【００７２】
図７は、第３の実施形態に係る制御部の別の動作の一例を模式的に表すグラフ図である。  
複数の検知部５０を設けた場合には、例えば、図７に表した信号Ｓ１、Ｓ２のように、複数の検知部５０の１つが所定の閾値Ｔｈ以上の水を検知した後、所定時間ｔ３以内に、複数の検知部５０の別の１つが所定の閾値Ｔｈ以上の水を検知した時に、退室直前の特定の動作を検知したと判断してもよい。
【００７３】
清掃のための水撒きの動作では、浴室２の複数の面に順番に水を当てる可能性が高い。従って、上記のように、複数の検知部５０の１つが所定の閾値Ｔｈ以上の水を検知した後、所定時間ｔ３以内に、複数の検知部５０の別の１つが所定の閾値Ｔｈ以上の水を検知した時に、退室直前の特定の動作を検知したと判断する。これにより、入浴者の退室直前の動作を、より正確に検知することができる。
【００７４】
（第４の実施形態）  
図８（ａ）及び図８（ｂ）は、第４の実施形態に係る浴室退室検知システムを模式的に表す説明図である。  
図８（ａ）及び図８（ｂ）に表したように、浴室退室検知システム１０ｄでは、検知部５２が、浴槽２ｄの上端部（リム面）に設けられている。検知部５２は、浴槽２ｄを風呂蓋５４で閉める動作を、浴室２内の入浴者の動作として検知する。制御部１６は、風呂蓋５４を閉める動作を検知部５２が検知したことに応答して、送信部１４から外部機器（報知部１８又は空調機４０）に信号を送信する。
【００７５】
このように、風呂蓋５４を閉める動作を、退室直前の特定の動作として検知してもよい。この場合、検知部５２には、例えば、電波センサ（マイクロ波センサ）、光電センサ、照度センサなどを用いることができる。
【００７６】
風呂蓋５４を閉める動作を、退室直前の特定の動作として検知する場合においても、複数の検知部５２を設け、図６又は図７に関して説明した手順で検知を行ってもよい。これにより、入浴者の退室直前の動作を、より正確に検知することができる。
【００７７】
（第５の実施形態）  
図９は、第５の実施形態に係る浴室退室検知システムを模式的に表す説明図である。  
図９に表したように、浴室退室検知システム１０ｅでは、検知部５６が、浴槽２ｄに設けられ、浴槽２ｄの水位を検知することにより、浴槽２ｄの排水の動作を、浴室２内の入浴者の動作として検知する。制御部１６は、浴槽２ｄの排水の動作を検知部５６が検知したことに応答して、送信部１４から外部機器（報知部１８又は空調機４０）に信号を送信する。
【００７８】
このように、浴槽２ｄの排水の動作を、退室直前の特定の動作として検知してもよい。この場合、検知部５６には、例えば、電波センサ（マイクロ波センサ）、静電容量センサなどを用いることができる。
【００７９】
浴槽２ｄの排水の動作を、退室直前の特定の動作として検知する場合においても、複数の検知部５６を設け、図６又は図７に関して説明した手順で検知を行ってもよい。これにより、入浴者の退室直前の動作を、より正確に検知することができる。
【００８０】
また、浴槽２ｄの排水の動作の検知は、浴槽２ｄの水位に限ることなく、例えば、排水栓を開いた際の排水口への水の流れを検知することにより、浴槽２ｄの排水の動作の検知してもよい。この場合、検知部５６には、例えば、電波センサ（マイクロ波センサ）や流量センサなどを用いることができる。
【００８１】
あるいは、排水栓を開いた状態と閉じた状態との状態の変化を検知することにより、浴槽２ｄの排水の動作の検知してもよい。この場合、検知部５６には、例えば、電波センサ（マイクロ波センサ）、照度センサ、磁気センサ、リミットスイッチなどを用いることができる。なお、排水栓は、ゴム栓などでもよいし、ポップアップ式の排水栓などでもよい。
【００８２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室退室検知システムが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８３】
２ 浴室、  ２ａ 壁面、  ２ｂ 場床、  ２ｃ 天井面、  ２ｄ 浴槽、  ２ｅ 外側面、  ４ 脱衣所、  １０、１０ａ〜１０ｅ 浴室退室検知システム、  １２ リモコン、  １４ 送信部、  １６ 制御部、  １８ 報知部、  ２０ 空調機、  ２２ 掃除機器、  ３０ 操作部、  ３２ 報知部、  ４０ 空調機、  ５０ 検知部、  ５２ 検知部、  ５４ 風呂蓋、  ５６ 検知部
【図１】
2020116039.tif 000003
【図２】
2020116039.tif 000004
【図３】
2020116039.tif 000005
【図４】
2020116039.tif 000006
【図５】
2020116039.tif 000007
【図６】
2020116039.tif 000008
【図７】
2020116039.tif 000009
【図８】
2020116039.tif 000010
【図９】
2020116039.tif 000011